(57)【要約】本発明は、  待機電力の自動遮断と自動復旧の機能を有する人工知能型コンセントに関するものとして、より詳細には、ＰＩＲ(Ｐａｓｓｉｖｅ  Ｉｎｆｒａｒｅｄ  Ｒａｙ)センサーとＩＲ(Ｉｎｆｒａｒｅｄ  Ｒａｙ)センサーとの組合せである客体感知技術を適用して、待機電力の自動遮断と自動復旧が可能であり、コンセントの機能スイッチにより受動方式でタッチＩＣ(Ｉｎｔｅｇｒａｔｅｄ  Ｃｉｒｃｕｉｔ)を適用したタッチ(ｔｏｕｃｈ)スイッチとタクト(ＴＡＣＴ)スイッチ、ＩＲ無線受信センサーを適用し、自動方式では距離と客体を感知する客体感知センサーと人体感知センサーを適用して、受動方式と自動方式を選択して使用でき、既存の一般のコンセントとコンピュータに内蔵されている節電機能を連動させて節電を遂行すると共に、コンセントに引き込まれる電源を常時、節電、オフ(ＯＦＦ)機能を両極遮断で節電回路と完全な分離及び連結を通じて調節できるＡＣ３段ロッカースイッチ(Ｒｏｃｋｅｒ  Ｓｗｉｔｃｈ)をコンセントに装着して適用することにより、一般のコンセントと節電機能を有するコンセントを徹底的に区分して便宜性と実用性をコンセントに付与できる効果がある。【選択図】図６
2019511076.tif 000002
【特許請求の範囲】
【請求項１】
待機電力の自動遮断と自動復帰機能を有する人工知能型コンセントにおいて、
コンセントに内蔵されているコンセント駆動モジュールを保護し、各種の電子機器の電源プラグを挿入して使用できるように、一般のコンセントの機能をもつ常時電源口と、主電源口に差し込まれている機器の電流量を、細部的に分割セッティングして主電源口に差し込まれている機器の使用中、節電状態、ＯＦＦ状態を把握して基準値により従属電源口をＯＮ／ＯＦＦする主電源口と、前記主電源口の制御信号により動作する従属電源口又は前記常時電源口と、主電源口を含む電源口部が形成されていて、コンセントの上端部の表面にタッチスイッチ、タクト(ＴＡＣＴ)スイッチである機能スイッチとＬＥＤが突出されることなしに、タッチスイッチとタクトスイッチ及びＬＥＤを射出内部に挿入して、外観でホールなしにデザインの外形を維持するコンセントケースと、
前記コンセントケースの内部に内蔵されていて、ＰＩＲ(Ｐａｓｓｉｖｅ  Ｉｎｆｒａｒｅｄ  Ｒａｙ)センサーとＩＲ(Ｉｎｆｒａｒｅｄ  Ｒａｙ)センサーとの組合せである客体感知技術を適用して、待機電力の自動遮断と自動復旧の機能を具現する機能と、コンセントの機能スイッチにより電源オン(ＯＮ)、常時電源、待機電力セッティング、過負荷遮断時解除の四つの機能を切り替え・制御を行う機能と、有線又は無線受信部により有／無線通信で電流、電力量を管制センター又はその他の機関へ送信して、インターネットが具現されるコンピュータやスマートフォンを介し電源ＯＮ、常時電源、待機電力セッティング、過負荷遮断時解除の四つの機能を制御できるように命令を受信する機能を有するコンセント駆動モジュールと、を包含することを特徴とする、待機電力の自動遮断と自動復旧機能を有する人工知能型コンセント。
【請求項２】
前記コンセント駆動モジュールはSMPS(Ｓｗｉｔｃｈｅｄ-Ｍｏｄｅ  Ｐｏｗｅｒ  Ｓｕｐｐｌｙ)電源回路として、ＡＣ(Ａｌｔｅｒｎａｔｉｎｇ  Ｃｕｒｒｅｎｔ)をＤＣ(Ｄｉｒｅｃｔ  Ｃｕｒｒｅｎｔ)に切り替えて安定的な回路運営を可能にして、電源からコンセント内部の各装置に供給するための動作電圧を生成・出力する電源部と、
使用者のスイッチング動作により客体感知センサー、人体感知センサー、タクトスイッチ及びタッチスイッチの使用可否とＬＥＤの出力可否及び家電製品の連動又は断動条件を設定して、これによるスイッチング信号を出力する動作条件設定部と、
有線及び無線通信網を介してコンピュータ又はスマートフォンで、距離と客体を感知する客体感知センサーと人体感知センサーの人体及び客体の感知可否をを判定するように連結する無線送受信部と、
人のタッチの変化又は人の動きを感知して、これによる電源オン(ＯＮ)、常時電源、待機電力セッティング、過負荷遮断時解除の四つの機能の信号を出力する内蔵又は外付けの人体感知センサー及びタッチ動作条件設定部と、
連動又は断動で動作する家電製品へ流れる電流を検出して、この検出信号を出力する電流検出部と、
連動又は断動の機能を選択するための使用者の前記スイッチング信号及び前記検出信号を入力されてブザー(ｂｕｚｚｅｒ)、リレー(ｒｅｌａｙ)、ＰＩＲセンサー、モード(ｍｏｄｅ)スイッチ、過電流、ＩＲセンサー、ＬＥＤを総合的に制御するためのオン(ＯＮ)又はオフ(ＯＦＦ)の制御信号を出力して、機能の制御値と待機電力値を半永久的に保管する制御部と、
前記制御部のオン又はオフ制御信号を入力されて、コンセントの節電口に引き込まれて流れる電流をリレーを用いて供給又は遮断を制御する出力制御部と、を含むことを特徴とする、請求項１に記載の待機電力の自動遮断と自動復旧機能を有する人工知能型コンセント。
【請求項３】
前記コンセントケースに形成されていて、コンセントに引き込まれる電源を常時、節電、オフ(ＯＦＦ)機能を両極遮断で節電回路と完全な分離及び連結を通じて調節するＡＣ３段ロッカースイッチ(Ｒｏｃｋｅｒ  Ｓｗｉｔｃｈ)と、をさらに含むことを特徴とする、請求項１に記載の待機電力の自動遮断と自動復旧機能を有する人工知能型コンセント。
【請求項４】
前記ＡＣ３段ロッカースイッチの一側部分に形成されていて、自動及び受動スイッチの連結の時、主電源口に差し込まれている機器の電流量を把握して主電源口を遮断するか又は復旧させる外部受信機の連結用ポートと、前記ＡＣ３段ロッカースイッチの一側部分に形成されていて、１つのボタンで復旧と設定の２つの機能を変換する復旧及び設定ボタン部と、をさらに含むことを特徴とする、請求項３に記載の待機電力の自動遮断と自動復旧機能を有する人工知能型コンセント。
【請求項５】
前記電源プラグにより連結されるコンセントに過負荷がかかると、遮断する過負荷遮断機と、をさらに含むことを特徴とする、請求項１に記載の待機電力の自動遮断と自動復旧機能を有する人工知能型コンセント。
【請求項６】
前記タクトスイッチ及びタッチスイッチである機能スイッチはボタンを１回押すと、節電口に電源が遮断された後再び通電状態に復旧させる機能と、ボタンを２回押すと、節電口に１６Ａから１９Ａの電力が通電される時に、１０秒以内に自動で遮断された以後に復旧させる機能と、３秒以内に連続でボタンを３回押して離すと、一般のコンセントへの切り替え及び節電コンセントの機能となり節電口を一般の常時転換口に切り替え、長く５秒以内の時間に押すと２０秒以内に節電口に差し込まれた機器の待機電力を電流ＩＣと増幅ＩＣを介して制御部(ＭＣＵ)のメモリーに電流値を貯蔵させるが、貯蔵中の時には、ＬＥＤのオン、オフを点滅して貯蔵中であることが、肉眼で知れるようにし、またブザーにより音で知れるようにする機能を含み、前記ＬＥＤの機能表示を示す方法において、緑色ＬＥＤが１秒に１回ずつ点滅の時は待機電力の状態として３分内に遮断されることを意味する表示であり、緑色ＬＥＤが持続的にオンの状態はコンセントに差し込まれた機器が使用中であることを意味する表示であり、赤色ＬＥＤが持続的にオン状態とオンの後の設定時間にオフでは、節電機能から一般コンセントへの機能切り替えを意味する表示であり、ＬＥＤがオフ状態の時にはコンセントの節電口に差し込まれた機器がオフ状態を意味する表示を包含することを特徴とする、請求項１に記載の待機電力の自動遮断と自動復旧機能を有する人工知能型コンセント。
【請求項７】
前記コンセントの駆動モジュールでは、節電コンセントに電流ＩＣとシャント(ｓｈｕｎｔ)抵抗を介しコンセントに差し込まれた機器の待機電力と消費電力を把握して、有線又は無線受信部により有／無線通信で電流、電力量を管制センター又はその他の機関へ送信でき、インターネットが具現されるコンピュータやスマートフォンを介し電源ＯＮ、常時電源、待機電力セッティング、過負荷遮断時解除の四つの機能を制御できるように命令を受信できるのを包含することを特徴とする、請求項１に記載の待機電力の自動遮断と自動復旧機能を有する人工知能型コンセント。
【請求項８】
前記機能スイッチにより受動方式でタッチＩＣ(Ｉｎｔｅｇｒａｔｅｄ  Ｃｉｒｃｕｉｔ)を適用した、タッチ(ｔｏｕｃｈ)スイッチとタクト(ＴＡＣＴ)スイッチ、ＩＲ無線受信センサーを適用し、自動方式では距離と客体を感知する客体感知センサーと人体感知センサーを適用して、電源の復旧方式を受動方式と自動方式に選択して使用できるのを包含することを特徴とする、請求項１に記載の待機電力の自動遮断と自動復旧機能を有する人工知能型コンセント。
【請求項９】
人口知能型コンセントはスマートフォンとＰＣのアプリケーション(Ａｐｐｌｉｃａｔｉｏｎ)を用いて、ブルートゥース（登録商標）(Ｂｌｕｅｔｏｏｔｈ（登録商標）)、ジグビー(ＺｉｇＢｅｅ)通信の中から選択される無線通信で、コンセント電源のオンとオフの時間を設定して入力されるようにし、以後自動的にタイマー役割を含むことを特徴とする、請求項１に記載の待機電力の自動遮断と自動復旧機能を有する人工知能型コンセント。
【請求項１０】
人口知能型コンセントは、床用コンセントと、壁用コンセントと、移動型マルチコンセント、マルチタップの中から選択的に適用できることの包含を特徴とする、請求項１又は９に記載の待機電力の自動遮断と自動復旧機能を有する人工知能型コンセント。
【発明の詳細な説明】
【技術分野】
【０００１】
本発明は、ＰＩＲ(Ｐａｓｓｉｖｅ  Ｉｎｆｒａｒｅｄ  Ｒａｙ)センサーとＩＲ(Ｉｎｆｒａｒｅｄ  Ｒａｙ)センサーとの組合せである客体感知技術を適用して、待機電力の自動遮断と自動復旧が可能であり、コンセントの機能スイッチにより受動方式でタッチＩＣ(Ｉｎｔｅｇｒａｔｅｄ  Ｃｉｒｃｕｉｔ)を適用したタッチ(ｔｏｕｃｈ)スイッチとタクト(ＴＡＣＴ)スイッチ、ＩＲ無線受信センサーを適用し、自動方式では距離と客体を感知する客体感知センサーと人体感知センサーを適用して受動方式と自動方式を選択して使用でき、コンセントの上端部の表面にタッチスイッチとタクトスイッチ及びＬＥＤ(Ｌｉｇｈｔ  Ｅｍｉｔｔｉｎｇ  Ｄｉｏｄｅ)が突出されることなしにタッチスイッチとタクトスイッチ及びＬＥＤを射出内部に挿入して外観でホールなしに、デザインの外形を維持しながら機能素子を内部に挿入・具現して動作でき、  一つのボタンでできているコンセントの機能スイッチを押す時間と回数により電源オン(ＯＮ)、常時電源、待機電力セッティング、過負荷遮断時解除の四つの機能を切り替え・制御を行うことは勿論であり、肉眼ではＬＥＤ表示とブザー(ｂｕｚｚｅｒ)を用いて同時に機能変更を行いながら特定の機能を表示でき、既存の一般のコンセントとコンピュータに内蔵されている節電機能を連動させて節電を遂行すると共に、コンセントに引き込まれる電源を常時、節電、オフ(ＯＦＦ)機能を両極遮断で節電回路と完全な分離及び連結を通じて調節できるＡＣ３段ロッカースイッチ(Ｒｏｃｋｅｒ  Ｓｗｉｔｃｈ)をコンセントに装着して適用することにより、一般のコンセントと節電機能を有するコンセントを徹底的に区分して便宜性と実用性をコンセントに付与でき、ＡＣ３段ロッカースイッチの一側部分に外部受信機を連結するポートを形成することにより、自動及び受動スイッチの連結の時、主電源口に差し込まれている機器の電流量を把握して主電源口を遮断するか又は復旧させることができ、節電コンセントに電流ＩＣとシャント(ｓｈｕｎｔ)抵抗を介し、コンセントに差し込まれた機器の待機電力と消費電力を把握して、有線又は無線受信部により有／無線通信で電流、電力量を管制センター又はその他の機関へ送信できると共に、インターネットが具現されるコンピュータやスマートフォンを介し電源ＯＮ、常時電源、待機電力セッティング(ｓｅｔｔｉｎｇ)、過負荷遮断時解除の四つの機能を制御できるように命令を受信でき、両方向通信制御の事物インターネット(ＩＯＴ:  Ｉｎｔｅｒｎｅｔ  Ｏｆ  Ｔｈｉｎｇ)の通信制御方式を、コンセント制御に適用できる待機電力の自動遮断と、自動復旧の機能を有する人工知能型コンセントに関する技術である。
【背景技術】
【０００２】
一般的に、家庭、事務室又は工場などの産業施設において使用される電気製品は、冷蔵庫のように常に電源が連結されて電力を供給されなければならないものと、テレビ(ＴＶ)、オーディオ、モニターのように人が活動する特定の時間にのみ電気エネルギーを供給する必要があるものに分類される。
【０００３】
しかしながら、後者の電気製品においても電源が壁面や床面のコンセントなどに連結されていて、遮断の難しさと共に煩雑さに起因して多くの場合に常時電源が連結された状態で使用される。
【０００４】
図１は、従来の電気製品２００に電源を供給する電力供給システムの構成図として、交流電源又は一般のコンセント１００に電気製品のプラグ(ｐｌｕｇ)２００を連結することにより電気エネルギーが供給される。そして、電気製品は電源遮断の難しさと共に煩わしさに起因して、多くの場合に常時電源が連結された状態で使用する。
【０００５】
従って、漏洩電力による多くの不必要な電力が消耗されていて、漏洩による大型火災の危険性も内包している。このような漏洩電力による電力浪費を全国的に換算すると相当な電力浪費の要因となっている。
【０００６】
なお、電源コンセントに連結されている電気製品と電子製品の電源が切られているとしても少量の電流が流れるようになって、従って少量の電力が消耗される。斯かる少量の電力を待機電力という。斯かる待機電力は電気製品と電子製品の寿命にも良くない影響を与えるだけではなく、電力浪費の一部になったりする。なお、漏電事故などの可能性を高める問題点がある。
【０００７】
従って、斯かる待機電力を遮断させるのが必要であるが、このような場合、使用者が一々に各待機電力を消耗する電気製品と電子製品を探し出して、電源コンセントから分離する苦労を取らなければならない。斯かる場合には、使用者に苦しいだけではなく、使用者の不注意で前記の分離作業ができない場合には待機電力を遮断できないという問題点がある。  
【０００８】
なお、国内及び海外の製品の技術は、待機電力の自動遮断以後に有／無線通信と受動スイッチで電源を復旧する方法を使用することが煩わしいため、使用者の節電コンセントに対する使用率を低下させる要因になっている。
【０００９】
なお、電力を最大限に節電して効率的に使用する方法の１つである、深夜電力を利用した蓄熱方式で主に使用される氷蓄熱方式は、蓄熱槽を含む様々な装置の追加から初期投資費、設置空間及び蓄熱槽の設置空間が増加され、既存の建物に適用の時、既存の設備施設を活用できなく、追加される装備の増加から維持管理費が増えるなどの問題点がある。
【００１０】
なお、韓国登録特許第１０−０７７３８６９号公報に開示されているところによると、従来はマルチコンセントをパーソナルコンピュータなどと通信可能になるように設計して、パーソナルコンピュータによりマルチコンセントの電源遮断スイッチを駆動させて電子製品に供給される電源を制御したり、別のリモコンを利用してマルチコンセントの電源遮断スイッチを駆動させて電子製品に供給される電源を制御したり、或いはマルチコンセントの電源スイッチと直列にタイマーを設置して電子製品に電源を供給する時間を任意に設定できるようにしている。
【００１１】
しかし、マルチコンセントの電源遮断スイッチを駆動させて、電子製品において損失される待機電力を減らす場合、パーソナルコンピュータや別のリモコンを具備すべきなことは勿論であり、任意に設定された時間外には電子製品を使用できない場合が発生する。
【００１２】
よって、ＰＩＲセンサーとＩＲセンサーの組合せである客体感知技術を適用して、待機電力の自動遮断と自動復旧が可能であり、コンセントの上端部の表面にタッチスイッチとタクトスイッチ及びＬＥＤが突出されることなしに、タッチスイッチとタクトスイッチ及びＬＥＤを射出内部に挿入して、外観でホールなしにデザインの外形を維持しながら機能素子を内部に挿入・具現して動作でき、１つのボタンでできているコンセントの機能スイッチを押す時間と回数により電源オン(ＯＮ)、常時電源、待機電力セッティング、過負荷遮断時解除の四つの機能を切り替え・制御を行うことは勿論であり、肉眼ではＬＥＤ表示とブザー(ｂｕｚｚｅｒ)を用いて同時に機能変更を行いながら特定の機能を表示でき、既存の一般的なコンセントとコンピュータに内蔵されている節電機能を連動させて、節電を遂行すると共にコンセントに引き込まれる電源を常時、節電、オフ(ＯＦＦ)機能を両極遮断で節電回路と完全な分離及び連結を通じて調節できるＡＣ３段ロッカースイッチ(Ｒｏｃｋｅｒ  Ｓｗｉｔｃｈ)をコンセントに装着して適用することにより、一般のコンセントと節電機能を有するコンセントを徹底的に区分して便宜性と実用性をコンセントに付与でき、有線又は無線受信部により有／無線通信で電流、電力量を管制センター又はその他の機関へ送信できると共にインターネットが具現されるコンピュータやスマートフォンを介し、前記四つの機能を制御できるように命令を受信できて、両方向通信制御の事物インターネット(ＩＯＴ)の通信制御方式をコンセント制御方式に適用できる、待機電力の自動遮断と自動復旧の機能を有する、人工知能型コンセントの開発が切実に要求されている実情である。
【先行技術文献】
【特許文献】
【００１３】
【特許文献１】韓国登録特許第１０−０７７３８６９号公報
【発明の概要】
【発明が解決しようとする課題】
【００１４】
従って、本発明は前記問題点を解決するするため、着想されたものとして、ＰＩＲセンサーとＩＲセンサーの組合せである客体感知技術を適用して、待機電力の自動遮断と自動復旧が可能な待機電力の自動遮断と自動復旧の機能を有する人工知能型コンセントを提供することに目的がある。
【００１５】
本発明の他の目的は、コンセントの機能スイッチにより受動方式ではタッチＩＣを適用したタッチスイッチとタクトスイッチ、ＩＲ無線受信センサーを適用して、自動方式では距離と客体を感知する客体感知センサーと人体感知センサーを適用して、受動方式と自動方式を選択して使用できる待機電力の自動遮断と自動復旧機能を有する人工知能型コンセントを提供することにある。
【００１６】
本発明の他の目的は、コンセントの上端部の表面にタッチスイッチとＴＡＣＴスイッチ及びＬＥＤが突出されることなしに、タッチスイッチ及びＬＥＤを射出内部に挿入して、外観でホールなしにデザインの外形を維持しながら機能素子を内部に挿入・具現して動作できる、待機電力の自動遮断と自動復帰機能を有する人工知能型コンセントを提供することにある。
【００１７】
本発明の他の目的は、１つのボタンでできているコンセントの機能スイッチを押す時間と回数により電源オン(ＯＮ)、常時電源、待機電力セッティング、過負荷遮断時解除の四つの機能を切り替え・制御を行うことは勿論であり、肉眼ではＬＥＤ表示とブザー(ｂｕｚｚｅｒ)を用いて、同時に機能変更を行いながら、特定の機能を表示できる待機電力の自動遮断と自動復帰機能を有する、人工知能型コンセントを提供することにある。
【００１８】
本発明の他の目的は、既存の一般のコンセントとコンピュータに内蔵されている、節電機能を連動させて節電を遂行すると共にコンセントに引き込まれる電源を常時、節電、オフ(ＯＦＦ)機能を両極遮断で節電回路と完全な分離及び連結を通じて調節できるＡＣ３段ロッカースイッチ(Ｒｏｃｋｅｒ  Ｓｗｉｔｃｈ)をコンセントに装着して適用することにより、一般のコンセントと節電機能を有するコンセントを徹底的に区分して便宜性と実用性をコンセントに付与できる、待機電力の自動遮断と自動復帰機能を有する人工知能型コンセントを提供することにある。
【００１９】
本発明の他の目的は、ＡＣ３段ロッカースイッチの一側部分に外部受信機を連結するポートを形成することにより、自動及び受動スイッチの連結の時、主電源口に差し込まれている機器の電流量を把握して主電源口を遮断するか又は復旧させることができる、待機電力の自動遮断と自動復帰機能を有する人工知能型コンセントを提供することにある。
【００２０】
本発明の他の目的は、節電コンセントに電流ＩＣとシャント(ｓｈｕｎｔ)抵抗を介し、コンセントに差し込まれた機器の待機電力と消費電力を把握して、有線又は無線受信部により有／無線通信で電流、電力量を管制センター又はその他の機関へ送信できると共に、インターネットが具現されるコンピュータやスマートフォンを介し、電源ＯＮ、常時電源、待機電力セッティング、過負荷遮断時解除の四つの機能を制御できるように命令を受信できて、両方向通信制御の事物インターネット(ＩＯＴ)の通信制御方式を、コンセント制御方式に適用できる待機電力の自動遮断と自動復帰機能を有する人工知能型コンセントを提供することにある。
【課題を解決するための手段】
【００２１】
前記目的を達成するための本発明の実施例による待機電力の自動遮断と自動復帰機能を有する、人工知能型コンセントに内蔵されているコンセント駆動モジュールを保護し、各種の電子機器の電源プラグを挿入して使用できるように、一般のコンセントの機能をもつ常時電源口と、主電源口に差し込まれている機器の電流量を、細部的に分割セッティングして主電源口に差し込まれている機器の、使用中、節電状態、ＯＦＦ状態を把握して、基準値により従属電源口をＯＮ／ＯＦＦする主電源口と、前記主電源口の制御信号により動作する従属電源口又は前記常時電源口と、主電源口を含む電源口部が形成されていて、コンセントの上端部の表面にタッチスイッチ、タクト(ＴＡＣＴ)スイッチの機能スイッチとＬＥＤが突出されることなしに、タッチスイッチとタクトスイッチ及びＬＥＤを射出内部に挿入して、外観でホールなしにデザインの外形を維持するコンセントケースと、前記コンセントケースの内部に内蔵されていて、ＰＩＲ(Ｐａｓｓｉｖｅ  Ｉｎｆｒａｒｅｄ  Ｒａｙ)センサーとＩＲ(Ｉｎｆｒａｒｅｄ  Ｒａｙ)センサーとの組合せである客体感知技術を適用して、待機電力の自動遮断と自動復旧の機能を具現する機能と、コンセントの機能スイッチにより電源オン(ＯＮ)、常時電源、待機電力セッティング、過負荷遮断時解除の四つの機能を切り替え・制御を行う機能と、有線又は無線受信部により有／無線通信で電流、電力量を管制センター又はその他の機関へ送信して、インターネットが具現されるコンピュータやスマートフォンを介し、電源ＯＮ、常時電源、待機電力セッティング、過負荷遮断時解除の四つの機能を制御できるように命令を受信する機能を有するコンセント駆動モジュールと、を含むことを特徴とする。
【００２２】
前記本発明において、前記コンセント駆動モジュールはSMPS(Ｓｗｉｔｃｈｅｄ-Ｍｏｄｅ  Ｐｏｗｅｒ  Ｓｕｐｐｌｙ)電源回路として、ＡＣ(Ａｌｔｅｒｎａｔｉｎｇ  Ｃｕｒｒｅｎｔ)をＤＣ(Ｄｉｒｅｃｔ  Ｃｕｒｒｅｎｔ)に切り替えて安定的な回路運営を可能にし、電源からコンセント内部の各装置に供給するための動作電圧を生成出力する電源部と、使用者のスイッチング動作により、客体感知センサー、人体感知センサー、タクトスイッチ及びタッチスイッチの使用可否と、ＬＥＤの出力可否及び家電製品の連動又は断動条件を設定して、これによるスイッチング信号を出力する動作条件設定部と、有線及び無線通信網を介してコンピュータ又はスマートフォンで距離と客体を感知する、客体感知センサーと人体感知センサーに、客体及び人体の感知可否を判定するように連結する無線送受信部と、人のタッチの変化又は人の動きを感知して、これによる電源オン(ＯＮ)、常時電源、待機電力セッティング、過負荷遮断時解除の四つの機能の信号を出力する、内蔵又は外付けの人体感知センサー及びタッチ動作条件設定部と、連動又は断動で動作する家電製品へ流れる電流を検出して、この検出信号を出力する電流検出部と、連動又は断動の機能を選択するための使用者の前記スイッチング信号及び前記検出信号を入力されて、ブザー(ｂｕｚｚｅｒ)、リレー(ｒｅｌａｙ)、ＰＩＲセンサー、モード(ｍｏｄｅ)スイッチ、過電流、ＩＲセンサー、ＬＥＤを総合的に制御するためのオン(ＯＮ)又はオフ(ＯＦＦ)制御信号を出力して、機能の制御値と待機電力値を半永久的に保管する制御部と、前記制御部のオン又はオフ制御信号を入力されて、コンセントの節電口に引き込まれて流れる電流を、リレーを用いて供給又は遮断を制御する出力制御部と、を含むことを特徴とする。
【００２３】
前記本発明において、前記コンセントケースに形成されていて、コンセントに引き込まれる電源を常時、節電、オフ(ＯＦＦ)機能を両極遮断で節電回路と完全な分離及び連結を通じて調節するＡＣ３段ロッカースイッチ(Ｒｏｃｋｅｒ  Ｓｗｉｔｃｈ)と、をさらに含むことを特徴とする。
【００２４】
前記本発明において、前記ＡＣ３段ロッカースイッチの一側部分に形成されていて、自動及び受動スイッチの連結の時、主電源口に差し込まれている機器の電流量を把握して、主電源口を遮断するか又は復旧させる外部受信機の連結用ポートと、前記ＡＣ３段ロッカースイッチの一側部分に形成されていて、１つのボタンで復旧と設定の２つの機能を変換する、復旧及び設定ボタン部と、をさらに含むことを特徴とする。
【００２５】
前記本発明において、前記電源プラグにより連結されるコンセントに過負荷がかかると、遮断する過負荷遮断機と、をさらに含むことを特徴とする。
【００２６】
前記本発明において、前記タクトスイッチ及びタッチスイッチの機能スイッチは、ボタンを１回押すと、節電口に電源が遮断された後、再び通電状態に復旧させる機能と、ボタンを２回押すと、節電口に１６Ａから１９Ａの電力が通電される時に、１０秒以内に自動で遮断された以後に復旧させる機能と、３秒以内に連続でボタンを３回押して離すと、一般のコンセントへの切り替え及び節電コンセントの機能となり節電口を一般の常時転換口に切り替え、長く５秒以内の時間に押すと、２０秒以内に節電口に差し込まれた機器の待機電力を、電流ＩＣと増幅ＩＣを介して制御部(MCU)メモリーに電流値を貯蔵させるが、貯蔵中の時には、ＬＥＤのオン、オフを点滅して貯蔵中であることを肉眼で知れるようにし、またブザーにより音で知れるようにする機能を含み、前記ＬＥＤの機能表示を示す方法において、緑色ＬＥＤが１秒に１回ずつ点滅の時は、待機電力の状態として３分以内に遮断されることを意味する表示であり、緑色ＬＥＤが持続的にオンの状態は、コンセントに差し込まれた機器が使用中であることを意味する表示であり、赤色ＬＥＤが持続的にオンの状態と、オンの後の設定時間にオフでは、節電機能から一般コンセントへの機能の切り替えを意味する表示であり、ＬＥＤが消灯した状態の時はコンセントの節電口に差し込まれた機器がオフ状態を意味する表示を含むことを特徴とする。
【００２７】
前記本発明において、前記コンセントの駆動モジュールでは節電コンセントに電流ＩＣとシャント(ｓｈｕｎｔ)抵抗を介し、コンセントに差し込まれた機器の待機電力と消費電力を把握して、有線又は無線受信部により有／無線通信で電流、電力量を、管制センター又はその他の機関へ送信でき、インターネットが具現されるコンピュータやスマートフォンを介し、電源ＯＮ、常時電源、待機電力セッティング、過負荷遮断時解除の四つの機能を制御できるように命令を受信できることの包含を特徴とする。
【００２８】
前記本発明において、前記機能スイッチにより、受動方式でタッチＩＣ(Ｉｎｔｅｇｒａｔｅｄ  Ｃｉｒｃｕｉｔ)を適用したタッチ(ｔｏｕｃｈ)スイッチとタクト(ＴＡＣＴ)スイッチ、ＩＲ無線受信センサーを適用し、自動方式では距離と客体を感知する客体感知センサーと人体感知センサーを適用して、電源の復旧方式を受動方式と自動方式に選択して使用できることの包含を特徴とする。
【００２９】
前記本発明において、人口知能型コンセントはスマートフォンとPCのアプリケーション(ApplＩＣatiＯＮ)を用いて、ブルートゥース（登録商標）(Bluetooth（登録商標）)、ジグビー(ZigBee)通信の中から選択される無線通信で、コンセント電源のオンとオフの時間を設定して入力されるようにし、以後自動的にタイマーの役割を含むことを特徴とする。
【００３０】
前記本発明において、人口知能型コンセントは床用コンセントと、壁用コンセントと、移動型マルチコンセント、マルチタップの中から選択的に適用できることの包含を特徴とする。
【発明の効果】
【００３１】
前述したように、本発明による待機電力の、自動遮断と自動復旧機能を有する人工知能型コンセントは次のような効果を有する。
【００３２】
一番目に、本発明はＰＩＲセンサーとＩＲセンサーの組み合わせである客体感知センサー技術を適用して、待機電力の自動遮断と自動復旧が可能である。
【００３３】
二番目に、本発明はコンセントの機能スイッチにより、受動方式でタッチＩＣ(Ｉｎｔｅｇｒａｔｅｄ  Ｃｉｒｃｕｉｔ)を適用したタッチ(ｔｏｕｃｈ)スイッチとタクト(ＴＡＣＴ)スイッチ、ＩＲ無線受信センサーを適用し、自動方式では距離と客体を感知する客体感知センサーと人体感知センサーを適用して、受動方式と自動方式を選択して使用できる。
【００３４】
三番目に、本発明はコンセントの上端部の表面にタッチスイッチとタクトスイッチ及びＬＥＤが突出されることなしに、タッチスイッチとタクトスイッチ及びＬＥＤを射出内部に挿入して、外観でホールなしにデザインの外形を維持しながら機能素子を内部に挿入・具現して動作できる。
【００３５】
四番目に、本発明は１つのボタンでできているコンセントの機能スイッチを押す時間と回数により電源オン(ＯＮ)、常時電源、待機電力セッティング、過負荷遮断時解除の四つの機能を切り替え・制御を行うことは勿論であり、肉眼ではＬＥＤ表示とブザー(ｂｕｚｚｅｒ)を用いて同時に機能変更を行いながら特定の機能を表示できる。
【００３６】
五番目に、本発明は既存の一般のコンセントとコンピュータに内蔵されている節電機能を連動させて節電を遂行すると共に、コンセントに引き込まれる電源を常時、節電、オフ(ＯＦＦ)機能を両極遮断で節電回路と完全な分離及び連結を通じて調節できるＡＣ３段ロッカースイッチ(Ｒｏｃｋｅｒ  Ｓｗｉｔｃｈ)を、コンセントに装着して適用することにより、一般のコンセントと節電機能を有するコンセントを徹底的に区分して便宜性と実用性をコンセントに付与できる。
【００３７】
六番目に、本発明はＡＣ３段ロッカースイッチの一側部分に外部受信機を連結するポートを形成することにより、自動及び受動スイッチの連結の時、主電源口に差し込まれている機器の電流量を把握して主電源口を遮断するか又は復旧させることができる。
【００３８】
七番目に、本発明は節電コンセントに電流ＩＣとシャント(ｓｈｕｎｔ)抵抗を介し、コンセントに差し込まれた機器の待機電力と消費電力を把握して、有線又は無線受信部により有／無線通信で電流、電力量を管制センター又はその他の機関へ送信できると共に、インターネットが具現されるコンピュータやスマートフォンを介し、電源ＯＮ、常時電源、待機電力セッティング、過負荷遮断時解除の四つの機能を制御できるように命令を受信できて、両方向通信制御の事物インターネット(ＩＯＴ)の通信制御方式をコンセント制御に適用できる。
【図面の簡単な説明】
【００３９】
【図１】従来の技術による電気製品の電力供給システムを示した例示図である。
【図２】本発明の一実施例による待機電力の自動遮断と自動復旧機能を有する人工知能型コンセントを示した構成図である。
【図３】本発明の他の一実施例による待機電力の自動遮断と自動復旧機能を有する人工知能型コンセントを示した構成図である。
【図４】本発明の一実施例による人工知能型コンセントにおいて、タッチ部のタッチパッド(ｔｏｕｃｈ  ｐａｄ)又はスプリング(ばね)を用いて、内部射出物のホール(ｈｏｌｅ)にスプリングが貫通し、外部射出物の表面にスプリングが接触されて、タッチの信号電流を供給するスイッチを理解できるように示した図面である。
【図５】本発明の一実施例による待機電力の自動遮断と自動復旧機能を有する人工知能型コンセントを駆動させるモジュールを示すブロック図である。
【図６】本発明の他の一実施例による待機電力の自動遮断と自動復旧機能を有する人工知能型コンセントを示した構成図である。
【図７】本発明の他の一実施例による待機電力の自動遮断と自動復旧機能を有する人工知能型コンセントの電源口とＡＣ３段ロッカースイッチにより常時、節電、オフ機能を調節する形態を説明するため示した図面である。
【図８】本発明の一実施例による人工知能型コンセントを駆動させるモジュールにおいて、ブザー、リレー、ＰＩＲ、モードスイッチ、過電流、ＩＲ、ＬＥＤを総合的に制御するMCUの回路図である。
【図９】本発明の一実施例による人工知能型コンセントを駆動させるモジュールにおいて、１つのスイッチで電源オン、常時電源、待機電力セッティング、過負荷遮断時解除の四つの機能の切り替えを可能にするタッチスイッチの回路図である。
【図１０】本発明の一実施例による人工知能型コンセントにおいて、肉眼で動作を区分できるようにするＩＲ及びＬＥＤ回路図である。
【発明を実施するための形態】
【００４０】
以下、添付された図面と共に本発明の好ましい一実施例を察すると次のようになるのであるが、本発明を説明するにあたって関連された公知技術又は、構成に対する具体的な説明が本発明の要旨を不必要にぼやかせると判定される場合には、その詳細な説明は省略するはずであり、後述される用語は本発明での機能を考慮して定義された用語として、これは使用者、運用者の意図又は慣例などによって異なることができるので、その定義は本発明である待機電力の自動遮断と自動復旧機能を有する人工知能型コンセントを説明する本明細書の全般に渡った内容に基づいて、行われなければならないことである。
【００４１】
図２は、本発明の一実施例による待機電力の自動遮断と自動復旧機能を有する人工知能型コンセントの構成を示した図面であり、図３は本発明の他の一実施例による待機電力の自動遮断と自動復旧機能を有する人工知能型コンセントの構成を示した図面であり、図４は本発明の一実施例による人工知能型コンセントにおいて、タッチ部のタッチパッド(ｔｏｕｃｈ  ｐａｄ)又はスプリング(ばね)を用いて、内部射出物のホール(ｈｏｌｅ)にスプリングが貫通し、外部射出物の表面にスプリングが接触されて、タッチの信号電流を供給するスイッチを理解できるように示した図面であり、図５は本発明の一実施例による待機電力の自動遮断と自動復旧機能を有する人工知能型コンセントを駆動させるモジュールを示すブロック図であり、図６は本発明の他の一実施例による待機電力の自動遮断と自動復旧機能を有する人工知能型コンセントを示した構成図であり、図７は本発明の他の一実施例による待機電力の自動遮断と自動復旧機能を有する人工知能型コンセントの電源口とＡＣ３段ロッカースイッチにより、常時、節電、オフ機能を調節する形態を説明するために示した図面であり、図８は本発明の一実施例による人工知能型コンセントを駆動させるモジュールにおいて、ブザー、リレー、ＰＩＲ、モードスイッチ、過電流、ＩＲ、ＬＥＤを総合的に制御するMCUの回路図であり、図９は本発明の一実施例による人工知能型コンセントを駆動させるモジュールにおいて、１つのスイッチで電源オン、常時電源、待機電力セッティング、過負荷遮断時解除の四つの機能の切り替えを可能にするタッチスイッチの回路図であり、図１０は本発明の一実施例による人工知能型コンセントにおいて、肉眼で動作を区分できるようにするＩＲ及びＬＥＤ回路図である。
【００４２】
本発明である待機電力の自動遮断と自動復旧機能を有する人工知能型コンセントは、コンセントケース１０、タッチ及びタクトスイッチ１１、ＬＥＤ１２，USBコネクター１３、外付け無線受信部１４、スプリング１５、コンセント駆動モジュール２０、動作条件設定部２１、無線送受信部２２、電源部２３、制御部(ＭＣＵ)２４、内蔵型人体感知センサー  、タッチ動作条件設定部２５、出力制御部(Ｒｅｌａｙ)２６、電流検出部２７、外付け人体感知センサー、タッチ動作条件設定部２８、常時電源口３０、主電源口４０、従属電源口５０、ＡＣ３段ロッカースイッチ６０、外部受信機連結用ポート６１、復旧及び設定ボタン部６２、過負荷遮断機６３、人工知能型コンセント７０などからなる。
【００４３】
図２から図１０に図示したように、本発明の一実施例による待機電力の自動遮断と自動復旧機能を有する人工知能型コンセント３０は、コンセントに内蔵されているコンセント駆動モジュール２０を保護し、各種の電子機器の電源プラグを挿入して使用できるように、一般のコンセントの機能をもつ常時電源口３０と、主電源口４０に差し込まれている機器の電流量を細部的に分割セッティングして主電源口４０に差し込まれている機器の、使用中、節電状態、ＯＦＦ状態を把握して基準値により従属電源口をＯＮ／ＯＦＦする主電源口４０と、前記主電源口４０の制御信号により動作する従属電源口５０又は前記常時電源口３０と、主電源口４０を含む電源口部が形成されていて、コンセントの上端部の表面にタッチスイッチ、タクト(ＴＡＣＴ)スイッチの機能スイッチとＬＥＤ１２が突出されることなしに、タッチスイッチ１１とタクトスイッチ及びＬＥＤ１２を射出内部に挿入して外観でホールなしにデザインの外形を維持するコンセントケース１０と、前記コンセントケース１０の内部に内蔵されていて、ＰＩＲ(Ｐａｓｓｉｖｅ  Ｉｎｆｒａｒｅｄ  Ｒａｙ)センサーとＩＲ(Ｉｎｆｒａｒｅｄ  Ｒａｙ)センサーとの組合せである客体感知技術を適用して待機電力の自動遮断と自動復旧の機能を具現する機能と、コンセントの機能スイッチ１１により電源オン(ＯＮ)、常時電源、待機電力セッティング、過負荷遮断時解除の四つの機能を切り替え・制御を行う機能と、有線又は無線受信部２２により有／無線通信で電流、電力量を管制センター又はその他の機関へ送信して、インターネットが具現されるコンピュータやスマートフォンを介し、電源ＯＮ、常時電源、待機電力セッティング、過負荷遮断時解除の四つの機能を制御できるように命令を受信する機能を有するコンセント駆動モジュール２０と、を具備し、前記コンセント駆動モジュール２０と分離されていて、人のタッチ変化又は人の動きを感知して、これによる電源オン、常時電源、待機電力セッティング、過負荷遮断時解除の四つの機能の信号を出力する外付け人体感知センサー及びタッチ動作条件設定部２８と、をさらに具備する。
【００４４】
なお、前記コンセントケースに形成されていて、コンセントに引き込まれる電源を常時、節電、オフ(ＯＦＦ)機能を両極遮断で節電回路と完全な分離及び連結を通じて調節するＡＣ３段ロッカースイッチ(Ｒｏｃｋｅｒ  Ｓｗｉｔｃｈ)６０と、ＡＣ３段ロッカースイッチの一側部分に形成されていて、自動及び受動スイッチの連結の時に、主電源口に差し込まれている機器の電流量を把握して主電源口を遮断するか又は復旧させる外部受信機連結用ポート６１と、前記ＡＣ３段ロッカースイッチの一側部分に形成されていて、１つのボタンで復旧と設定の２つの機能を変換する復旧及び設定ボタン部６２と、前記電源プラグにより連結されるコンセントに過負荷がかかると遮断する過負荷遮断機６３と、をさらに具備する。
【００４５】
前記待機電力の自動遮断と自動復旧機能を有する人工知能型コンセントを構成する各技術的手段の機能を説明すれば、次のようになる。
【００４６】
図２、図３及び図６、図７に図示したように、前記コンセントケース１０はコンセントに内蔵されているコンセント駆動モジュール２０を保護し、各種の電子機器の電源プラグを挿入して使用できるように、一般のコンセントの機能をもつ常時電源口３０と、主電源口４０に差し込まれている機器の電流量を細部的に分割セッティングして、主電源口４０に差し込まれている機器の、使用中、節電状態、ＯＦＦ状態を把握して基準値により従属電源口をＯＮ／ＯＦＦする主電源口４０と、前記主電源口４０の制御信号により動作する従属電源口５０又は前記常時電源口３０と、主電源口４０を含む電源口部が形成されていて、コンセントの上端部の表面にタッチスイッチ、タクト(ＴＡＣＴ)スイッチである機能スイッチ１１とＬＥＤ１２が突出されることなしに、タッチスイッチとタクトスイッチ１１及びＬＥＤ１２を射出内部に挿入して、外観でホールなしにデザインの外形を維持するのである。ここで、前記コンセントケース１０の上端部には、タッチスイッチとタクト(ＴＡＣＴ)スイッチ１１及びＬＥＤ１２の以外にもＵＳＢコネクター１３と、外付け無線受信部１４が形成されているのである。
【００４７】
なお、図４に図示したように、人工知能型コンセントにおいて、タッチ部のタッチパッド(ｔｏｕｃｈ  pad)又はスプリング(ばね)１５を用いて、内部射出物のホール(hole)にスプリングが貫通し、外部射出物の表面にスプリングが接触して、タッチの信号電流を供給するスイッチを理解できるのである。
【００４８】
前記コンセント駆動モジュール２０は、前記コンセントケース１０の内部に内蔵されていて、ＰＩＲ(Ｐａｓｓｉｖｅ  Ｉｎｆｒａｒｅｄ  Ｒａｙ)センサーとＩＲ(Ｉｎｆｒａｒｅｄ  Ｒａｙ)センサーとの組合せである客体感知技術を適用して、待機電力の自動遮断と自動復旧の機能を具現する機能と、コンセントの機能スイッチ１１により電源オン(ＯＮ)、常時電源、待機電力セッティング、過負荷遮断時解除の四つの機能を切り替え・制御を行う機能と、有線又は無線受信部２２により有／無線通信で電流、電力量を管制センター又はその他の機関へ送信して、インターネットが具現されるコンピュータやスマートフォンを介し電源ＯＮ、常時電源、待機電力セッティング、過負荷遮断時解除の四つの機能を制御できるように命令を受信する機能を有するのである。
【００４９】
ここで、図５に図示したように、前記コンセント駆動モジュール２０は、SMPS(Ｓｗｉｔｃｈｅｄ-Ｍｏｄｅ  Ｐｏｗｅｒ  Ｓｕｐｐｌｙ)電源回路として、ＡＣ(Ａｌｔｅｒｎａｔｉｎｇ  Ｃｕｒｒｅｎｔ)をＤＣ(Ｄｉｒｅｃｔ  Ｃｕｒｒｅｎｔ)に切り替えて安定的な回路運営が可能にし、電源からコンセント内部の各装置に供給するための動作電圧を生成・出力する電源部２３と、使用者のスイッチング動作により客体感知センサー、人体感知センサー、タクトスイッチ及びタッチスイッチの使用可否とＬＥＤの出力可否及び家電製品の連動又は断動条件を設定して、これによるスイッチング信号を出力する動作条件設定部２１と、有線及び無線通信網を介してコンピュータ又はスマートフォンで、距離と客体を感知する客体感知センサーと人体感知センサーの人体及び客体の感知可否をを判定するように連結する無線送受信部２２と、人のタッチの変化又は人の動きを感知して、これによる電源オン(ＯＮ)、常時電源、待機電力セッティング、過負荷遮断時解除の四つの機能の信号を出力する内蔵又は外蔵の人体感知センサー及びタッチ動作条件設定部２５と、連動又は断動で動作する家電製品へ流れる電流を検出して、この検出信号を出力する電流検出部２７と、連動又は断動の機能を選択するための使用者の前記スイッチング信号及び前記検出信号を入力されてブザー(ｂｕｚｚｅｒ)、リレー(ｒｅｌａｙ)、ＰＩＲセンサー、モード(ｍｏｄｅ)スイッチ、過電流、ＩＲセンサー、ＬＥＤを総合的に制御するためのオン(ＯＮ)又はオフ(ＯＦＦ)制御信号を出力して、機能の制御値と待機電力値を半永久的に保管する制御部２４と、前記制御部のオン又はオフ制御信号を入力されて、コンセントの節電口に引き込まれて流れる電流をリレーを用いて供給又は遮断を制御する出力制御部２６と、を含むことである。
【００５０】
そして、前記コンセントの駆動モジュール２０では節電コンセントに電流ＩＣとシャント(ｓｈｕｎｔ)抵抗を介し、コンセントに差し込まれた機器の待機電力と消費電力を把握して有線又は無線受信部により有／無線通信で電流、電力量を管制センター又はその他の機関へ送信でき、インターネットが具現されるコンピュータやスマートフォンを介し電源ＯＮ、常時電源、待機電力セッティング、過負荷遮断時解除の四つの機能を制御できるように命令を受信できるのである。ここで、前記有／無線通信方式はジグビー方式、RF方式、ＩＲ方式、ＰＩＲ方式の中から選択されることができるのである。
【００５１】
なお、図６から図７に図示したように、前記ＡＣ３段ロッカースイッチ６０は、前記コンセントケース１０に形成されていて、コンセントに引き込まれる電源を常時、節電、オフ機能を両極遮断で節電回路と完全な分離及び連結を通じて調節するのである。
【００５２】
なお、前記外部受信機連結用ポート６１は、前記ＡＣ３段ロッカースイッチ６０の一側部分に形成されていて、自動及び受動スイッチの連結の時、主電源口に差し込まれている機器の電流量を把握して主電源口を遮断するか又は復旧させるのである。
【００５３】
前記復旧及び設定ボタン部６２は、前記ＡＣ３段ロッカースイッチの一側部分に形成されていて、１つのボタンで復旧と設定の２つの機能を変換するのである。
【００５４】
なお、過負荷遮断機６３は前記電源プラグにより連結されるコンセントに過負荷がかかると遮断するのである。
【００５５】
図８に図示したように、制御部(ＭＣＵ)回路はブザー、リレー、ＰＩＲセンサー、モードスイッチ、過電流、ＩＲセンサー、ＬＥＤを総合的に制御するためのオン又はオフ制御信号を出力する信号として、１つのスイッチで電源オン、常時電源、待機電力セッティング、過負荷遮断時解除の四つの機能を制御するのである。
【００５６】
なお、前記外付け人体感知センサー及びタッチ動作条件設定部２８はコンセント駆動モジュート２０と分離されていて、人のタッチ変化又は人の動きを感知してこれによる電源オン、常時電源、待機電力セッティング、過負荷遮断時解除の四つの機能の信号を出力するのである。
【００５７】
なお、前記タクトスイッチ及びタッチスイッチ１１は、ボタンを１回押すと、節電口に電源が遮断された後、再び通電状態に復旧させる機能と、ボタンを２回押すと、節電口に１６Ａ以上から１９Ａ以下の電力が通電される時に、１０秒以内に自動で遮断された以後に復旧させる機能と、３秒以内に連続でボタンを３回押して離すと、一般のコンセントへの切り替え及び節電コンセントの機能となり節電口を一般の常時転換口に切り替え、長く５秒以内の時間に押すと２０秒以内に節電口に差し込まれた機器の待機電力を、電流ＩＣと増幅ＩＣを介して制御部(MCU)のメモリーに電流値を貯蔵させるが、貯蔵中の時には、ＬＥＤのオン、オフを速く点滅して貯蔵中であることが、肉眼と音で知れるようにする機能を含むのである。
【００５８】
図９に図示したように、タッチスイッチ回路は、人口知能型埋立型コンセントを駆動させるモジュールにおいて、１つのスイッチで電源オン、常時電源、待機電力セッティング、過負荷遮断時解除の四つの機能の切り替えを可能にするのである
【００５９】
なお、図１０に図示したように、ＩＲ及びＬＥＤ回路は人口知能型埋立型コンセントにおいて肉眼で動作を区分できるようにし、２色のＬＥＤで３色(R,G,O)を具現させるのでる。
【００６０】
そして、前記機能スイッチ１１により、受動方式ではタッチＩＣを適用したタッチスイッチとタクトスイッチ、ＩＲ無線受信センサーを適用して、自動方式では距離と客体を感知する客体感知センサーと人体感知センサーを適用して、電源の復旧方式を受動方式と自動方式で選択して使用できるのである。
【００６１】
なお、前記ＬＥＤ１２に機能表示を示す方法において、緑色ＬＥＤが１秒に１回ずつ点滅の時は、待機電力の状態として３分以内に遮断されることを意味する表示であり、緑色ＬＥＤがが持続的にオンの状態は、コンセントに差し込まれた機器が使用中であることを意味する表示であり、赤色ＬＥＤが持続的にオン状態とオンの後の設定時間にオフでは、節電機能から一般コンセントへの機能切り替えを意味する表示であり、ＬＥＤがオフ状態の時にはコンセントの節電口に差し込まれた機器がオフ状態を意味するのである。
【００６２】
以上で説明したように、本発明が属する技術の分野における通常の知識を有する者が、本発明の技術的思想を逸脱しない範囲内で多様な置換、変形及び変更が可能であるので、前述した実施例及び添付された図面に限定されるものではない。
【産業上の利用可能性】
【００６３】
前述したような本発明である待機電力の自動遮断と自動復旧機能を有する人口知能型コンセントは、床用コンセントと、壁用コンセントと、移動型マルチコンセント、マルチタップの中から選択的に適用できるので、その使用及び適用対象が広範囲なものである。
【符号の説明】
【００６４】
１０            コンセントケース
１１            タッチ及びタクトスイッチ
１２            ＬＥＤ
１３            ＵＳＢコネクター
１４            外付け無線受信部
１５            スプリング
２０            コンセント駆動モジュール
２１            動作条件設定部
２２            無線送受信部
２３            電源部
２４            制御部（ＭＣＵ）
２５            内蔵人体感知センサー及びタッチ動作条件設定部
２６            出力制御部(Ｒｅｌａｙ)
２７            電流検出部
２８            外付け人体感知センサー及びタッチ動作条件設定部
３０            常時電源口
４０            主電源口
５０            従属電源口
６０            ＡＣ３段ロッカースイッチ
６１            外部受信機連結用ポート
６２            復旧及び設定ボタン部
６３            過負荷遮断機
７０            人工知能型コンセント
【図１】
2019511076.tif 000003
【図２】
2019511076.tif 000004
【図３】
2019511076.tif 000005
【図４】
2019511076.tif 000006
【図５】
2019511076.tif 000007
【図６】
2019511076.tif 000008
【図７】
2019511076.tif 000009
【図８】
2019511076.tif 000010
【図９】
2019511076.tif 000011
【図１０】
2019511076.tif 000012
【国際調査報告】
2019511076.tif 000013
2019511076.tif 000014
2019511076.tif 000015
2019511076.tif 000016